(57)【要約】      （修正有）【課題】配管の作業工程を共通化して簡略化することで現場の工期を大幅に短縮し、誰にでも確実な施工ができるユニットハウス用配管ユニットを提供する。【解決手段】ユニットハウスＰの側面に予め固定するハウス取合金具１０を設ける。複数本の配管を予め並べて連結保持する保持金具２０を設ける。排水管及び給水管が連結された主管ユニット体３０を設ける。ユニットハウスＰの側面にハウス取合金具１０を固定する。ハウス取合金具１０に保持金具２０を連結して主管ユニット体３０を装着する。【選択図】図１
0003205991.tif 000002
【実用新案登録請求の範囲】
【請求項１】
ユニットハウスの側面に縦配管を装着するように構成したユニットハウス用配管ユニットにおいて、ユニットハウスの側面に予め固定する杆体状のハウス取合金具と、複数本の配管を予め並べて連結保持する保持金具と、該保持金具にて連結保持された排水管及び給水管からなる主管ユニット体とで構成され、ユニットハウスの側面に固定してあるハウス取合金具に、保持金具を連結して主管ユニット体を装着するように構成したことを特徴とするユニットハウス用配管ユニット。
【請求項２】
前記ハウス取合金具は、壁面に沿って固定される固定杆と、該固定杆の上下に設けられ、前記保持金具に向かって突出する上下一対の連結金具とを備え、上部の連結金具に開穿したボルト挿通孔に、ボルト側面を上から係止せしめる切欠を設け、該ボルト挿通孔に前記保持金具を仮止めしてから固定するように構成した請求項１記載のユニットハウス用配管ユニット。
【請求項３】
前記保持金具は、前記ハウス取合金具に連結する連結腕体と、該連結腕体に装着され前記排水管及び給水管を並べて連結する連結環体とを備え、前記排水管を連結腕体の先端側に配置すると共に、該排水管と前記ユニットハウスとの間に前記給水管を配置するように連結した請求項１記載のユニットハウス用配管ユニット。
【請求項４】
前記主管ユニット体に、予め分岐杆又は枝管を接続するように構成した請求項１記載のユニットハウス用配管ユニット。
【考案の詳細な説明】
【技術分野】
【０００１】
本考案は、ユニットハウスに装着する配管を合理的に装着することが可能なユニットハウス用配管ユニットに関するものである。
【背景技術】
【０００２】
工場で生産し、現地で組み立てるユニットハウスに給排水管等を装着するには、ユニットハウスを構築した後、現場において配管ごとの取り合いをしながら給排水管等を装着する工程になっている。
【０００３】
一方、このような現場合わせによる配管ごとの取り合い作業を行わずに、複数の配管をひとまとめにすることで、配管を効率よく施工する配管ユニットが特許文献１に記載されている。この配管ユニットは、ガス配管や給水配管等の複数の配管を支持部材でひとまとめに保持し、この支持部材で配管施工箇所に固定するように構成したものである。
【０００４】
この配管ユニットによると、複数の配管を支持部材でひとまとめにしてユニット化することにより、従来工法による現場での配管ごとの取り合いの手間を省くことができるというものである。
【先行技術文献】
【特許文献】
【０００５】
【特許文献１】特開平１０-２１３２７１号公報
【考案の概要】
【考案が解決しようとする課題】
【０００６】
特許文献１に記載の配管ユニットによると、給排水配管等の複数の配管を平板面状の支持部材によって並列保持する構成である。そのため、この配管ユニットは、壁や天井面等の平面構造に装着するように構成されている。
【０００７】
ところが、ユニットハウスは構成を自由に変更できるのが特徴なので、このような平板面状の支持部材によって並列保持する構成では、配管施工時の制約が多くなり、施工手順を共通化することは困難である。
【０００８】
しかも、ユニットハウスでは、ハウスの側面からカプセルを突出させるような構成も選択可能になることから、このようなユニットハウス特有の構成に配管を装着する場合には、配管施工が更に困難になり、現場合わせによる配管ごとの取り合い作業が必要になっていた。
【０００９】
そこで本考案は、上述の課題を解消すべく案出されたもので、ユニットハウスに装着する配管作業の工程を極めて簡略することができ、共通した配管施工を可能にして現場の工期を大幅に短縮し、誰にでも確実な施工ができるユニットハウス用配管ユニットの提供を目的とするものである。
【課題を解決するための手段】
【００１０】
上述の目的を達成すべく本考案における第１の手段は、ユニットハウスＰの側面に縦配管Ｑを装着するように構成したユニットハウス用配管ユニットにおいて、ユニットハウスＰの側面に予め固定する杆体状のハウス取合金具１０と、複数本の配管を予め並べて連結保持する保持金具２０と、該保持金具２０にて連結保持された排水管３１及び給水管３２からなる主管ユニット体３０とで構成され、ユニットハウスＰの側面に固定してあるハウス取合金具１０に、保持金具２０を連結して主管ユニット体３０を装着するように構成したことにある。
【００１１】
第２の手段において、前記ハウス取合金具１０は、壁面に沿って固定される固定杆１１と、該固定杆１１の上下に設けられ、前記保持金具２０に向かって突出する上下一対の連結金具１２とを備え、上部の連結金具１２に開穿したボルト挿通孔１３に、ボルト側面を上から係止せしめる切欠１３Ａを設け、該ボルト挿通孔１３に前記保持金具２０を仮止めしてから固定するように構成している。
【００１２】
第３の手段において、前記保持金具２０は、前記ハウス取合金具１０に連結する連結腕体２２と、該連結腕体２２に装着され前記排水管３１及び給水管３２を並べて連結する連結環体２１とを備え、前記排水管３１を連結腕体２２の先端側に配置すると共に、該排水管３１と前記ユニットハウスＰとの間に前記給水管３２を配置するように連結したものである。
【００１３】
第４の手段は、前記主管ユニット体３０に、予め分岐杆３３又は枝管３４を接続するように構成したものである。
【考案の効果】
【００１４】
請求項１のごとく、ユニットハウスＰの側面に予め固定してあるハウス取合金具１０に、保持金具２０を連結して主管ユニット体３０を装着するように構成したことにより、ユニットハウスＰの配管工程において、共通した配管施工が可能になった。この結果、現場合わせによる配管ごとの取り合い作業が不要になり、ユニットハウスに装着する縦配管Ｑの装着作業を極めて簡略化することができ、誰にでも確実な施工ができるようになった。また、ハウス取合金具１０の設置を先行させることで、例えば３階建てのユニットハウスＰのように高所に配管施工を行う場合でも、予めユニットハウスＰの側面に予め主管ユニット体３０を装着した後で３階建てに組み立てることができるので、高所でも縦配管Ｑの配管作業を安全に行うことが可能である。
【００１５】
請求項２により、上部の連結金具１２に開穿したボルト挿通孔１３に、ボルト側面を上から係止せしめる切欠１３Ａを設け、該ボルト挿通孔１３に保持金具２０を仮止めしてから固定するように構成しているので、主管ユニット体３０の装着作業を簡略化することができる。したがって配管施工期間を短縮することが可能になった。
【００１６】
請求項３のように、前記保持金具２０は、前記ハウス取合金具１０に連結する連結腕体２２と、該連結腕体２２に装着され前記排水管３１及び給水管３２を並べて連結する連結環体２１とを備え、排水管３１を連結腕体２２の先端側に配置すると共に、該排水管３１とユニットハウスＰとの間に給水管３２を配置するように連結するものであるから、主管ユニット体３０設置時に、縦配管Ｑの正面見付面積を減らして外観上の体裁を良好にすることが可能になる。
【００１７】
請求項４のごとく、主管ユニット体３０に、予め分岐杆３３又は枝管３４を接続するように構成したことで、この主管ユニット体３０から任意の分岐杆３３や枝管３４を接続することが可能になる。この結果、ユニットハウスＰにカプセルＰ１を設けた構造のように、特殊なユニットハウスＰでも、これら分岐杆３３や枝管３４を選択してカプセルＰ１内の配管に接続することが可能になる。
【００１８】
このように、本考案によると、ユニットハウスに装着する配管作業の工程を極めて簡略することができ、共通した配管施工を可能にして現場の工期を大幅に短縮し、誰にでも確実な施工ができるなどといった当初の目的を達成した。
【図面の簡単な説明】
【００１９】
【図１】本考案の装着状態を示す分解斜視図である。
【図２】本考案配管ユニットの一実施例を示す分解斜視図である。
【図３】本考案の装着状態の一実施例を示す平断面図である。
【図４】本考案のハウス取合金具の一実施例を示す分解斜視図である。
【図５】（イ）乃至（ハ）は、ハウス取合金具に主管ユニット体を連結する工程図である。
【図６】本考案の他の装着状態を示す斜視図である。
【考案を実施するための形態】
【００２０】
以下、本考案の実施の形態を説明する。本考案は、工場で生産し、現地で組み立てるユニットハウスＰの側面に縦配管Ｑを装着するように構成したユニットハウス用配管ユニットに関するものである（図１参照）。
【００２１】
本考案の主な構成は、ハウス取合金具１０、保持金具２０、主管ユニット体３０にて構成されている（図２参照）。ハウス取合金具１０は、縦配管Ｑの施工位置に合わせて予めユニットハウスＰに固定する固定部材である。保持金具２０は、縦配管Ｑをハウス取合金具１０に連結する金具で、主管ユニット体３０は、この保持金具２０に排水管３１と給水管３２とが連結保持された構成である。
【００２２】
ハウス取合金具１０の構成は、杆体状の固定杆１１と、この固定杆１１の上下に突設された一対の連結金具１２とを備えたものである（図２参照）。固定杆１１は、ユニットハウスＰの側面に予め固定する杆状部材である（図４参照）。図示例では、縦配管Ｑの施工位置に合わせて選択した各種の固定ボルト１４を使用してユニットハウスＰ側面に固定杆１１を固定している。また、配管施工位置により、固定杆１１に別途固定金具１５を設け、この固定金具１５を介して固定杆１１を固定することも可能である（図２参照）。
【００２３】
一方、ハウス取合金具１０の連結金具１２は、固定杆１１の上下から保持金具２０に向かって突出する連結部材である（図２参照）。更に、上部の連結金具１２に開穿したボルト挿通孔１３に、ボルト側面を上から係止せしめる切欠１３Ａを設けている（図４参照）。この切欠１３Ａにより、保持金具２０に連結された連結ボルト２３をボルト挿通孔１３に上から仮止めできるように構成している（図５（イ）参照）。
【００２４】
保持金具２０は、複数本の縦配管Ｑを予め並べて連結保持する連結部材である（図２参照）。図示の保持金具２０は、平面略円弧形状の連結環体２１と、平面略Ｔ字形状の連結腕体２２とを備えている（図３参照）。
【００２５】
連結環体２１は、排水管３１及び給水管３２を並べて連結する部材である（図３参照）。一方、連結腕体２２は、連結環体２１側からハウス取合金具１０方向に突出する部材である。そして、この連結腕体２２に縦配管Ｑを連結する際に、連結腕体２２の先端側に排水管３１を連結する。更に、この排水管３１とユニットハウスＰとの間、すなわち連結環体２１の内側の位置に給水管３２を配置する。このように配置すると、比較的小径の給水管３２が大径の排水管３１の裏側に隠れるようになり、複数の縦配管Ｑを設置した場合でも比較的目立たずに済む。
【００２６】
主管ユニット体３０は、排水管３１及び給水管３２を保持金具２０にて連結保持した構成を成している（図２参照）。そして、この主管ユニット体３０に分岐杆３３又は枝管３４を適宜選択して接続する。これら分岐杆３３や枝管３４は、例えば、側面にカプセルＰ１を取付けた特殊なユニットハウスＰに配管施工を行う場合でも、分岐杆３３や枝管３４を介してカプセルＰ１側に配管できるようにしている（図６参照）。
【００２７】
主管ユニット体３０をユニットハウスＰに配管施工するには、まず、ユニットハウスＰ側面の適位置にハウス取合金具１０を固定し、次に、主管ユニット体３０を保持連結している保持金具２０をハウス取合金具１０に連結するといった共通の施工になる（図１参照）。
【００２８】
このとき、ハウス取合金具１０に保持金具２０を連結する際に、固定杆１１上部の連結金具１２のボルト挿通孔１３に、保持金具２０の連結ボルト２３を切欠１３Ａから係止して仮止めする（図５（イ）、（ロ）参照）。次に、下部の連結金具１２のボルト挿通孔１３に保持金具２０の連結ボルト２３を挿通して固定した後、上部のボルト挿通孔１３に仮止めした連結ボルト２３を締め付けて固定する（同図（ハ）参照）。
【００２９】
本考案では、３階建てのユニットハウスＰに配管施工する場合でも安全な施工が可能になる（図６参照）。すなわち、ユニットハウスＰの側面に主管ユニット体３０を装着した後で、ユニットハウスＰを３階建てに組み立てるものである。したがって、従来のように、高所における配管ごとの取り合い作業のような危険な作業はなくなり、極めて安全な施工が可能になる。
【００３０】
尚、本考案配管ユニットは図示例に限定されるものではなく、ハウス取合金具１０や保持金具２０、主管ユニット体３０等の構成や形状は任意に変更することができる。また、本考案の要旨を変更しない範囲での設計変更は自由に行える。
【符号の説明】
【００３１】
Ｐ  ユニットハウス
Ｐ１  カプセル
Ｑ  縦配管
１０  ハウス取合金具
１１  固定杆
１２  連結金具
１３  ボルト挿通孔
１３Ａ  切欠
１４  固定ボルト
１５  固定金具
２０  保持金具
２１  連結環体
２２  連結腕体
２３  連結ボルト
３０  主管ユニット体
３１  排水管
３２  給水管
３３  分岐杆
３４  枝管
【図１】
0003205991.tif 000003
【図２】
0003205991.tif 000004
【図３】
0003205991.tif 000005
【図４】
0003205991.tif 000006
【図５】
0003205991.tif 000007
【図６】
0003205991.tif 000008